【手続補正書】
【提出日】令和3年8月10日(2021.8.10)
【手続補正１】
【補正対象書類名】明細書
【補正対象項目名】００９４
【補正方法】変更
【補正の内容】
【００９４】
本開示の主題を詳細に、かつ特定の実施形態を参照して説明したが、本開示に記載された様々な詳細は、本明細書に付随する図面の各々に特定の要素が示されている場合であっても、これらの詳細が本開示に記載された様々な実施形態の必須構成要素であることを暗示するものととられるべきではないことに留意されたい。むしろ、本明細書に含まれる特許請求の範囲は、本開示の広さおよび本開示に記載の様々な実施形態の対応する範囲の単なる表現として解釈されるべきである。さらに、特許請求される主題の趣旨および範囲から逸脱することなく、記載の実施形態に様々な変更および変形がなされ得ることは、当業者に明らかであるはずである。したがって、本明細書は、添付の特許請求の範囲およびそれらの均等物の範囲内に入るそのような変更および変形が提供される種々の記載された実施形態の変更および変形を網羅することを意図する。
以下、本発明の好ましい実施形態を項分け記載する。
実施形態１
基油を含む油相と、
水を含む水相と、
少なくとも１つの乳化剤であって、前記少なくとも１つの乳化剤が、式Ｒ−ＣＯ−ＮＨ−Ｒ’−ＮＨ−Ｒ”−ＮＨ２を含むアミノアミドを含み、式中、Ｒが、脂肪酸アルキルであり、Ｒ’およびＲ”が、アルキル基である、少なくとも１つの乳化剤と、
湿潤剤、レオロジー調整剤、流体損失制御添加剤、および加重添加剤（ｗｅｉｇｈｔｉｎｇ  ａｄｄｉｔｉｖｅ）から選択される、１つ以上の添加剤と、
を含む、油系掘削流体組成物。
実施形態２
Ｒが、Ｃ１５Ｈ３１、Ｃ１７Ｈ３５、Ｃ２１Ｈ４３、またはＣ８Ｈ１７ＣＨＣＨＣ７Ｈ１４から選択される、実施形態１に記載の油系掘削流体組成物。
実施形態３
Ｒ’が、Ｃ２Ｈ４、Ｃ６Ｈ１２、またはＣ１０Ｈ２０から選択される、実施形態１に記載の油系掘削流体組成物。
実施形態４
Ｒ”が、Ｃ２Ｈ４、Ｃ６Ｈ１２、またはＣ１０Ｈ２０から選択される、実施形態１に記載の油系掘削流体組成物。
実施形態５
Ｒが、Ｃ１７Ｈ３５であり、Ｒ’が、Ｃ２Ｈ４であり、Ｒ’が、Ｃ２Ｈ４である、実施形態１に記載の油系掘削流体組成物。
実施形態６
前記油系掘削流体が、前記油系掘削流体の総重量に基づいて、０．０５重量％〜５．０重量％の乳化剤を含む、実施形態１に記載の油系掘削流体組成物。
実施形態７
５０℃で測定される１０．２２ｓ−１の剪断速度での粘度が、４００ｃＰ超である、実施形態１に記載の油系掘削流体組成物。
実施形態８
５０℃で測定される１７０ｓ−１の剪断速度での粘度が、１２５ｃＰ未満である、実施形態１に記載の油系掘削流体組成物。
実施形態９
油系掘削流体組成物を作製するための方法であって、
基油、少なくとも１つの乳化剤、少なくとも１つの乳化剤、および任意選択的に少なくとも１つの湿潤剤を混合して、第１の混合物を形成することであって、前記少なくとも１つの乳化剤が、式Ｒ−ＣＯ−ＮＨ−Ｒ’−ＮＨ−Ｒ”−ＮＨ２を含むアミノアミドを含み、式中、Ｒが、脂肪酸アルキルであり、Ｒ’およびＲ”が、アルキル基である、第１の混合物を形成することと、
任意選択的に、少なくとも１つのレオロジー調整剤、およびアルカリ度調節剤を前記第１の混合物に混合して、第２の混合物を形成することと、
任意選択的に、少なくとも１つの流体損失制御添加剤を前記第２の混合物に混合して、第３の混合物を形成することと、
ブライン溶液を前記第１の混合物または前記第３の混合物に混合して、第４の混合物を形成することと、
加重添加剤を前記第４の混合物に混合して、前記油系掘削流体組成物を形成することと、
を含む、方法。
実施形態１０
Ｒが、Ｃ１５Ｈ３１、Ｃ１７Ｈ３５、Ｃ２１Ｈ４３、またはＣ８Ｈ１７ＣＨＣＨＣ７Ｈ１４から選択され、Ｒ’が、Ｃ２Ｈ４、Ｃ６Ｈ１２、またはＣ１０Ｈ２０から選択され、Ｒ”が、Ｃ２Ｈ４、Ｃ６Ｈ１２、またはＣ１０Ｈ２０から選択される、実施形態９に記載の油系掘削流体組成物。
実施形態１１
Ｒが、Ｃ１７Ｈ３５であり、Ｒ’が、Ｃ２Ｈ４であり、Ｒ’が、Ｃ２Ｈ４である、実施形態９に記載の油系掘削流体組成物。
実施形態１２
前記油系掘削流体組成物が、前記油系掘削流体組成物の総重量に基づいて、０．０５重量％〜５．０重量％の乳化剤を含む、実施形態９に記載の方法。
実施形態１３
地下井を掘削するための方法であって、
油系掘削流体組成物を提供することと、
前記油系掘削流体組成物を坑井に導入することと、
を含み、
前記油系掘削流体組成物が、
基油を含む油相と、
水を含む水相と、
少なくとも１つの乳化剤であって、前記少なくとも１つの乳化剤が、式Ｒ−ＣＯ−ＮＨ−Ｒ’−ＮＨ−Ｒ”−ＮＨ２を含むアミノアミドを含み、式中、Ｒが、脂肪酸アルキルであり、ＲおよびＲ”が、アルキル基である、少なくとも１つの乳化剤と、
湿潤剤、レオロジー調整剤、流体損失制御添加剤、および加重添加剤から選択される、１つ以上の添加剤と、
を含む、方法。
実施形態１４
前記坑井が、３００°Ｆ超の坑井温度を含む、実施形態１３に記載の方法。
実施形態１５
前記坑井が、１０，０００ｐｓｉ超の坑井圧力を含む、実施形態１３に記載の方法。
【手続補正２】
【補正対象書類名】特許請求の範囲
【補正対象項目名】全文
【補正方法】変更
【補正の内容】
【特許請求の範囲】
【請求項１】
基油を含む油相と、
水を含む水相と、
少なくとも１つの乳化剤であって、前記少なくとも１つの乳化剤が、式Ｒ−ＣＯ−ＮＨ−Ｒ’−ＮＨ−Ｒ”−ＮＨ２を含むアミノアミドを含み、式中、Ｒが、Ｃ１５Ｈ３１、Ｃ１７Ｈ３５、またはＣ２１Ｈ４３から選択される非分岐脂肪酸アルキルであり、Ｒ’およびＲ”が、アルキル基である、少なくとも１つの乳化剤と、
湿潤剤、レオロジー調整剤、流体損失制御添加剤、および加重添加剤（ｗｅｉｇｈｔｉｎｇ  ａｄｄｉｔｉｖｅ）から選択される、１つ以上の添加剤と、
を含む、油系掘削流体組成物。
【請求項２】
Ｒ’が、Ｃ２Ｈ４、Ｃ６Ｈ１２、またはＣ１０Ｈ２０から選択される、請求項１に記載の油系掘削流体組成物。
【請求項３】
Ｒ”が、Ｃ２Ｈ４、Ｃ６Ｈ１２、またはＣ１０Ｈ２０から選択される、請求項１に記載の油系掘削流体組成物。
【請求項４】
Ｒが、Ｃ１７Ｈ３５であり、Ｒ’が、Ｃ２Ｈ４であり、Ｒ”が、Ｃ２Ｈ４である、請求項１に記載の油系掘削流体組成物。
【請求項５】
前記油系掘削流体が、前記油系掘削流体の総重量に基づいて、０．０５重量％〜５．０重量％の乳化剤を含む、請求項１から４いずれか１項に記載の油系掘削流体組成物。
【請求項６】
５０℃で測定される１０．２２ｓ−１の剪断速度での粘度が、４００ｃＰ超である、請求項１から５いずれか１項に記載の油系掘削流体組成物。
【請求項７】
５０℃で測定される１７０ｓ−１の剪断速度での粘度が、１２５ｃＰ未満である、請求項１から６いずれか１項に記載の油系掘削流体組成物。
【請求項８】
油系掘削流体組成物を作製するための方法であって、
基油、少なくとも１つの乳化剤、および任意選択的に少なくとも１つの湿潤剤を混合して、第１の混合物を形成することであって、前記少なくとも１つの乳化剤が、式Ｒ−ＣＯ−ＮＨ−Ｒ’−ＮＨ−Ｒ”−ＮＨ２を含むアミノアミドを含み、式中、Ｒが、Ｃ１５Ｈ３１、Ｃ１７Ｈ３５、またはＣ２１Ｈ４３から選択される非分岐脂肪酸アルキルであり、Ｒ’およびＲ”が、アルキル基である、第１の混合物を形成することと、
任意選択的に、少なくとも１つのレオロジー調整剤、およびアルカリ度調節剤を前記第１の混合物に混合して、第２の混合物を形成することと、
任意選択的に、少なくとも１つの流体損失制御添加剤を前記第２の混合物に混合して、第３の混合物を形成することと、
ブライン溶液を前記第１の混合物または前記第３の混合物に混合して、第４の混合物を形成することと、
加重添加剤を前記第４の混合物に混合して、前記油系掘削流体組成物を形成することと、
を含む、方法。
【請求項９】
Ｒ’が、Ｃ２Ｈ４、Ｃ６Ｈ１２、またはＣ１０Ｈ２０から選択され、Ｒ”が、Ｃ２Ｈ４、Ｃ６Ｈ１２、またはＣ１０Ｈ２０から選択される、請求項８に記載の油系掘削流体組成物。
【請求項１０】
Ｒが、Ｃ１７Ｈ３５であり、Ｒ’が、Ｃ２Ｈ４であり、Ｒ”が、Ｃ２Ｈ４である、請求項８に記載の油系掘削流体組成物。
【請求項１１】
前記油系掘削流体組成物が、前記油系掘削流体組成物の総重量に基づいて、０．０５重量％〜５．０重量％の乳化剤を含む、請求項８から１０いずれか１項に記載の方法。
【請求項１２】
地下井を掘削するための方法であって、
油系掘削流体組成物を提供することと、
前記油系掘削流体組成物を坑井に導入することと、
を含み、
前記油系掘削流体組成物が、
基油を含む油相と、
水を含む水相と、
少なくとも１つの乳化剤であって、前記少なくとも１つの乳化剤が、式Ｒ−ＣＯ−ＮＨ−Ｒ’−ＮＨ−Ｒ”−ＮＨ２を含むアミノアミドを含み、式中、Ｒが、Ｃ１５Ｈ３１、Ｃ１７Ｈ３５、またはＣ２１Ｈ４３から選択される非分岐脂肪酸アルキルであり、ＲおよびＲ”が、アルキル基である、少なくとも１つの乳化剤と、
湿潤剤、レオロジー調整剤、流体損失制御添加剤、および加重添加剤から選択される、１つ以上の添加剤と、
を含む、方法。
【請求項１３】
前記方法が、前記坑井内でドリルを操作することをさらに含む、請求項１２に記載の方法。
【請求項１４】
前記坑井が、３００°Ｆ（１４８．９℃）超の坑井温度を含む、請求項１２または１３に記載の方法。
【請求項１５】
前記坑井が、１０，０００ｐｓｉ（６８，９４８ｋＰａ）超の坑井圧力を含む、請求項１２から１４いずれか１項に記載の方法。